【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
粉粒体を案内する上下方向を向いた案内筒と、
中空回転軸と前記中空回転軸の外周に設けられた螺旋状の羽根とを有して、前記案内筒の内部で回転して粉粒体を供給搬送する、上下方向を向いたオーガと、
筒状に形成されて、前記中空回転軸の中空孔と連通して前記中空回転軸の下端部に設けられ、気体の通過を許容し、かつ前記筒状内に粉粒体が侵入するのを阻止する粉粒体止め部と、を備え、
前記中空回転軸の中空孔を介して前記粉粒体止め部内の気体を吸引して、前記案内筒内の粉粒体の気体を吸引し、かつ前記オーガの回転を停止して、前記案内筒内からの粉粒体の排出を止める、
ことを特徴とする粉粒体排出制御装置。
【請求項２】
前記粉粒体止め部内の気体の吸引を解除した状態で、前記オーガを回転することにより前記粉粒体を排出してなる、
ことを特徴とする請求項１に記載の粉粒体排出制御装置。
【請求項３】
前記案内筒の下端部に設けられて、前記案内筒から排出される粉粒体を分散する分散部材を備えた、
ことを特徴とする請求項１又は２に記載の粉粒体排出制御装置。
【請求項４】
前記粉粒体止め部は、多数の貫通孔が形成された内筒及び外筒と、前記内筒と前記外筒との間に設けられて前記内筒の内部に粉粒体が侵入するのを阻止するフィルタとを備えた、
ことを特徴とする請求項１乃至３のいずれか１項に記載の粉粒体排出制御装置。
【請求項５】
前記中空回転軸と前記粉粒体止め部は、互いに着脱自在である、
ことを特徴とする請求項１乃至４のいずれか１項に記載の粉粒体排出制御装置。
【請求項６】
前記粉粒体止め部は、外周に前記オーガの羽根と連続する螺旋状の羽根を有している、
ことを特徴とする請求項１乃至５のいずれか１項に記載の粉粒体排出制御装置。
【請求項７】
粉粒体を貯留しておく粉粒体貯留手段と、
前記粉粒体貯留手段と粉粒体収納体との間で、前記粉粒体貯留手段に貯留された粉粒体を前記粉粒体収納体に排出する、請求項１乃至６のいずれか１項に記載の粉粒体排出制御装置と、を備えた、
ことを特徴とする粉粒体供給装置。
【手続補正２】
【補正対象書類名】明細書
【補正対象項目名】０００８
【補正方法】変更
【補正の内容】
【０００８】
本発明の粉粒体排出制御装置（１２３０）は、粉粒体を案内する上下方向を向いた案内筒（１２０４）と、中空回転軸（１２０６）と前記中空回転軸（１２０６）の外周に設けられた螺旋状の羽根（１２０７Ａ）とを有して、前記案内筒（１２０４）の内部で回転して粉粒体を供給搬送する、上下方向を向いたオーガ（１２０５）と、筒状に形成されて、前記中空回転軸（１２０６）の中空孔（１２１５）と連通して前記中空回転軸（１２０６）の下端部に設けられ、気体の通過を許容し、かつ前記筒状内に粉粒体が侵入するのを阻止する粉粒体止め部（１２２０）と、を備え、前記中空回転軸（１２０６）の中空孔（１２１５）を介して前記粉粒体止め部（１２２０）内の気体を吸引して、前記案内筒（１２０４）内の粉粒体の気体を吸引し、かつ前記オーガ（１２０５）の回転を停止して、前記案内筒（１２０４）内からの粉粒体の排出を止める、ことを特徴としている。
【手続補正３】
【補正対象書類名】明細書
【補正対象項目名】００１１
【補正方法】変更
【補正の内容】
【００１１】
本発明の粉粒体排出制御装置は、粉粒体の排出を止めるとき、粉粒体止め部によって、案内筒内の粉粒体の気体を吸引するので、羽根の終端部分の下面に位置する粉粒体を粉粒体止め部に吸着することができる。この結果、本発明の粉粒体排出制御装置は、粉粒体が零れ落ちるのを防止することができる。
【手続補正４】
【補正対象書類名】明細書
【補正対象項目名】００１６
【補正方法】変更
【補正の内容】
【００１６】
なお、粉粒体には、小麦粉、脱脂粉乳、コピー器用の磁性体を含んだトナー等がある。また、不活性ガスには、窒素（Ｎ２）、アルゴン、二酸化炭素などの粉粒体に科学反応が生じにくい気体があるが、その他、粉粒体に発酵や腐敗等の生化学的変化が生じにくい気体もある。したがって、不活性ガスは、粉粒体の保存に適した気体であればよく、本実施形態で取り上げる窒素（Ｎ２）のみに限定されるものではない。
【手続補正５】
【補正対象書類名】明細書
【補正対象項目名】００２２
【補正方法】変更
【補正の内容】
【００２２】
したがって、粉粒体搬送部１００は、粉粒体貯留部１０から供給された粉粒体を案内筒１０１の開口部１０１ａで受取り、モータＭ２によって回転するオーガ１０２によって、粉粒体を粉粒体供給部１２００の受取り筒１２０１の方に搬送する。受取り筒１２０１の上まで搬送された粉粒体は、回転板１０７の回転によって受取り筒１２０１内に落下する。受取り筒１２０１の上を通過した粉粒体は、羽根１０５によって押し戻されて、受取り筒１２０１内に落下する。
【手続補正６】
【補正対象書類名】明細書
【補正対象項目名】００２９
【補正方法】変更
【補正の内容】
【００２９】
外筒１２４の外周には、羽根１０４ａが補強プレート１２７を介して設けられている。補強プレート１２７は、羽根１０４ａの厚みＴ１（図３（Ａ））よりやや幅が広い帯状の金属板であり、羽根１０４ａが取付けられる位置の外筒１２４の外周に、巻き付くようにして設けられている。補強プレート１２７は、外筒１２４の部分に設けられて、多数の貫通孔１２１，１２２が形成された内筒１２３及び外筒１２４を補強するとともに、羽根１０４ａを外筒１２４に取り付け易くするために設けられている。補強プレート１２７は、外筒１２４のみに設けられていてもよいし、外筒１２４と中空軸１０９との両方の外周に設けられていてもよい。
【手続補正７】
【補正対象書類名】明細書
【補正対象項目名】００３５
【補正方法】変更
【補正の内容】
【００３５】
フィルタ１４５は、非錆金属製の線材を互いに絡ませるようにして形成されており、窒素を内部から案内筒内に噴出するのを許容し、内筒内（回転軸１０３としての貫通孔１１５内）に粉粒体Ｐが侵入するのを阻止するようになっている。内筒１４３と外筒１４４は、一例として、多数の孔があいたパンチプレートを円筒状に丸めて形成されている。
【手続補正８】
【補正対象書類名】明細書
【補正対象項目名】００３８
【補正方法】変更
【補正の内容】
【００３８】
すなわち、窒素供給フィルタ筒１１４と中空軸１１０、１１２は、接続ねじ１４６と雌ねじ１１０ａ，１１２ａとによって着脱自在になっている。このため、オーガ１０２は、窒素供給フィルタ筒１１４と中空軸１１０との接続数を任意に変更して、長さを自由に変えることができるようになっている。
【手続補正９】
【補正対象書類名】明細書
【補正対象項目名】００４０
【補正方法】変更
【補正の内容】
【００４０】
（粉粒体搬送部１００の動作説明）
空気吸引装置５２（図１）が作動すると、空気抜き領域１０３Ａ（図２）の中空軸１０９及び空気吸引フィルタ筒１１３の筒状内は、負圧になる。すると、空気吸引フィルタ筒１１３の貫通孔１２２、フィルタ１２５、及び貫通孔１２１を介して案内筒１０１内の粉粒体の空気が吸引される。このとき、空気抜き領域１０３Ａと窒素供給領域１０３Ｂとの間に遮蔽板１０８が設けられているので、窒素供給領域１０３Ｂの回転軸の筒状内は、負圧にならない。
【手続補正１０】
【補正対象書類名】明細書
【補正対象項目名】００４２
【補正方法】変更
【補正の内容】
【００４２】
したがって、粉粒体搬送部１００は、空気吸引フィルタ筒１１３と窒素供給フィルタ筒１１４が案内筒１０１内の中空軸１０９，１１０，１１２に設けられているので、小型にすることができる。
【手続補正１１】
【補正対象書類名】明細書
【補正対象項目名】００４３
【補正方法】変更
【補正の内容】
【００４３】
また、粉粒体搬送部１００は、粉粒体貯留部１０から供給された粉粒体を、オーガ１０２の回転によって受取り筒１２０１に搬送する間に、空気抜き領域１０３Ａで粉粒体の空気を抜き取る（脱気する）ようになっている。このため、粉粒体搬送部１００は、中空軸１０９に設けた空気吸引フィルタ筒１１３で粉粒体の内部から空気を吸引するので、粉粒体が空気吸引フィルタ筒１１３に集まり、オーガ１０２と案内筒１０１との隙間Ｇに詰まるのを防止して、粉粒体を円滑に搬送することができる。
【手続補正１２】
【補正対象書類名】明細書
【補正対象項目名】００４５
【補正方法】変更
【補正の内容】
【００４５】
なお、以上の説明では、ホッパ１２に空気抜き領域１０３Ａが接続され、空気抜き領域１０３Ａと粉粒体供給部１２００との間に窒素供給領域１０３Ｂが接続されて、粉粒体の空気を吸引した後、粉粒体に窒素を供給するようになっている。しかし、ホッパ１２に窒素供給領域１０３Ｂが接続され、窒素供給領域１０３Ｂと粉粒体供給部１２００との間に空気抜き領域１０３Ａが接続されて、粉粒体に窒素を供給した後、粉粒体の空気を吸引してもよい。この場合、空気を抜くと、窒素も抜かれるが、粉粒体の酸化を防止できる程度にしか、空気と窒素を抜き取らない。
【手続補正１３】
【補正対象書類名】明細書
【補正対象項目名】００５３
【補正方法】変更
【補正の内容】
【００５３】
内筒１２２３及び外筒１２２４には、多数の貫通孔１２２１，１２２２が形成されている。接続ねじ１２２６は、中空回転軸１２０６の貫通孔１２１５と連通する貫通孔１２２９が形成されて、中空状に形成されている。接続ねじ１２２６は、雄ねじであり、中空回転軸１２０６の下部の内周に形成された雌ねじ１２０６ａにねじ込まれている。このため、粉粒体止め部１２２０は、接続ねじ１２２６と雌ねじ１２０６ａとによって中空回転軸１２０６に着脱自在になっている。
【手続補正１４】
【補正対象書類名】明細書
【補正対象項目名】００６４
【補正方法】変更
【補正の内容】
【００６４】
さらに、粉粒体止め部１２２０の下端部が、羽根１２０７（１２０７Ｂ）の下端部まで延びている。このため、羽根１２０７（１２０７Ｂ）の下端部、特に、最後の１巻の下面に位置する粉粒体も粉粒体止め部１２２０の外筒１２２４に吸着される。したがって、粉粒体止め部１２２０は、粉粒体の零れ落ちを殆ど無くして、袋に供給する粉粒体の量を正確にすることができる。また、粉粒体止め部１２２０を案内筒１２０４の下端部まで延ばして、案内筒１２０４にねじ係合しているカップ状の粉粒体分散リング１２４０内に伸ばすことができるので、オーガ１２０５と、粉粒体止め部１２２０と案内筒１２０４との下端部まで、有効に使用される。
【手続補正１５】
【補正対象書類名】図面
【補正対象項目名】図１
【補正方法】変更
【補正の内容】
【図１】
2015174734.tif 000001
【手続補正１６】
【補正対象書類名】図面
【補正対象項目名】図３
【補正方法】変更
【補正の内容】
【図３】
2015174734.tif 000002
【手続補正１７】
【補正対象書類名】図面
【補正対象項目名】図５
【補正方法】変更
【補正の内容】
【図５】
2015174734.tif 000003
【手続補正１８】
【補正対象書類名】図面
【補正対象項目名】図６
【補正方法】変更
【補正の内容】
【図６】
2015174734.tif 000004
【手続補正１９】
【補正対象書類名】図面
【補正対象項目名】図７
【補正方法】変更
【補正の内容】
【図７】
2015174734.tif 000005
【手続補正２０】
【補正対象書類名】図面
【補正対象項目名】図１０
【補正方法】変更
【補正の内容】
【図１０】
2015174734.tif 000006